(57)【要約】  【課題】燃料タンクの給油口やキャップの構造を変えずに容易に装着でき、施錠によりキャップの無断開放を防止できるキャップの保護カバーを提供する。  【解決手段】キャップ保護カバー１は、燃料タンク３１の給油案内筒３３に取り付けられるベースリング２と、これに枢着される蓋体３とを具備する。ベースリング２は、給油案内筒３３のキャップ係合部３４よりも基端側の外周に嵌合し、キャップ３６の外径より小なる内径を有する。蓋体３は、キャップ３６を露出させる開放位置と、ベースリング２との間にキャップ３６を挟んでキャップ３６を被覆する閉鎖位置との間を回動可能である。蓋体３上には、キー操作によりロック位置と非ロック位置との間で止め金１５を移動させて、蓋体３とベースリング２との間を施解錠する錠装置４を具備する。ベースリング２は、錠装置４の止め金１５を係合させて錠止する受け金７を具備する。【選択図】  図１
2011105160.tif 000002
【特許請求の範囲】
【請求項１】
タンク本体から突出する給油案内筒の先端部のキャップ係合部に、給油口キャップが着脱自在に螺合される燃料タンクにおいて、当該給油案内筒に螺合された給油口キャップを覆ったり露出させたりできるように給油案内筒に装着される保護カバーであって、
前記給油案内筒のキャップ係合部よりも基端側の外周に嵌合し、前記キャップの外径より小なる内径を有するベースリングと、
このベースリングに枢着され、前記キャップを露出させる開放位置とベースリングとの間にキャップを挟んで当該キャップを被覆する閉鎖位置との間を回動可能な蓋体と、
キー操作により前記蓋体と前記ベースリングとの間を施解錠する錠装置とを具備することを特徴とする燃料タンクのキャップ保護カバー。
【請求項２】
前記錠装置には、前記蓋体又は前記ベースリングの一方に設けられ、キー操作によりロック位置と非ロック位置との間で移動する止め金と、他方に設けられ、前記蓋体が閉鎖位置にあるとき、ロック位置にある前記止め金を係合させて錠止される受け金とを備えることを特徴とする請求項１に記載の燃料タンクのキャップ保護カバー。
【請求項３】
前記蓋体は、前記キャップの外周を包囲できる内径を有する筒状の側壁と、この側壁の一端側を閉じる端壁と、側壁の外周から半径方向外側へ突出するように設けられ前記錠装置を保持する錠保持部とを具備し、
前記錠装置は、軸線を前記筒状の側壁の軸線と平行に向けて前記錠保持部に保持されるシリンダ錠と、このシリンダ錠のロータの正逆回転に連動して側壁の半径方向に進退するように錠保持部に保持される前記止め金と、前記蓋体の錠保持部に対応する位置において前記ベースリングから起立し、前記止め金が進退することにより係脱する前記受け金とを具備することを特徴とする請求項２に記載の燃料タンクのキャップ保護カバー。
【請求項４】
前記蓋体は、前記側壁の外周から半径方向外側へ突出するように設けられる軸受け部を具備し、
前記ベースリングは、前記蓋体の軸受け部との間に枢ピンを貫通させて蓋体を枢支する対応軸受け部を具備することを特徴とする請求項1ないし３のいずれかに記載の燃料タンクのキャップ保護カバー。
【請求項５】
前記ベースリングは、前記リング本体から前記給油案内筒の基端側へ当該給油案内筒の側壁の外周に沿って延出する複数の締め付け片を具備し、締め付けバンドにより締め付け片を締め付けることにより、給油案内筒の外周に固定可能に構成されることを特徴とする請求項1ないし４のいずれかに記載の燃料タンクのキャップ保護カバー。
【発明の詳細な説明】
【技術分野】
【０００１】
本発明は、内燃機関を有する農業機械等における燃料タンクの給油口を開閉するキャップが、第三者により無断で開放されるのを防止するためのキャップ保護カバーに関するものである。
【背景技術】
【０００２】
トラクター等の農業機械の燃料タンクにおいては、タンク本体から突出する給油案内筒の先端部にキャップ係合部が設けられ、このキャップ係合部に、給油口キャップが着脱自在に螺合される構造のものが多い。しかも、給油口キャップは通常施錠手段を備えていないことがほとんどで、燃料の盗難には無防備の状態にある。
自動車などの燃料タンクの給油口キャップは、一般には、施錠可能なフューエルリッドで覆われる（例えば、特許文献１参照）。また、自動二輪車の燃料タンクの給油口は、キャップ自体に錠装置が設けられる（例えば、特許文献２参照）。
【先行技術文献】
【特許文献】
【０００３】
【特許文献１】特開２００６−１１１０７３号公報
【特許文献２】特開２００７−００１４７３号公報
【発明の概要】
【発明が解決しようとする課題】
【０００４】
この発明は、トラクター等の農業機械の燃料タンクのように、施錠手段を備えていない給油口キャップを装備したものにおいて、後付けで簡易に施錠手段を付加することができるキャップ保護カバーを提供することを目的としている。
【課題を解決するための手段】
【０００５】
以下添付図面の符号を参照して説明するが、本発明はこれに限定されるものではない。
上記目的を達成するための本発明によるキャップ保護カバー１は、燃料タンク３１の給油案内筒３３に取り付けられるベースリング２と、このベースリング２に枢着される蓋体３と、蓋体３とベースリング２との間を施解錠する錠装置４とを具備する。ベースリング２は、給油案内筒３３のキャップ係合部３４よりも基端側の外周に嵌合し、キャップ３６の外径より小なる内径を有する。蓋体３は、キャップ３６を露出させる開放位置と、ベースリング２との間にキャップ３６を挟んでキャップ３６を被覆する閉鎖位置との間をベースリング２に対して回動可能である。錠装置４はキー操作により施解錠する。
錠装置４には、キー操作によりロック位置と非ロック位置との間で移動する止め金１５と、蓋体が閉鎖位置にあるとき、ロック位置にある止め金１５を係合させて錠止される受け金７とを具備する。
【発明の効果】
【０００６】
本発明によるキャップ保護カバーによれば、既存の部材に何ら加工を施すことなく、燃料タンクの給油案内筒に簡単に装着することができ、それにより、第三者による給油キャップの取り外しを不可能にし、燃料の盗難を有効に防止することができる。
【図面の簡単な説明】
【０００７】
【図１】本発明に係るキャップ保護カバーの分解斜視図である。
【図２】図１のキャップ保護カバーの平面図である。
【図３】図１のキャップ保護カバーの底面図である。
【図４】図１のキャップ保護カバーの閉鎖状態の縦断面図である。
【図５】図１のキャップ保護カバーの開放状態の縦断面図である。
【図６】他の実施形態のキャップ保護カバーの開放状態の正面図である。
【図７】図６のキャップ保護カバーにおけるベースリングの斜視図である。
【発明を実施するための形態】
【０００８】
本発明の実施の一形態を図面を参照して詳細に説明する。
図１ないし図５において、燃料タンク３１は、タンク本体３２から突出する給油案内筒３３を有する。給油案内筒３３の先端部には、キャップ係合部３４が設けられ、ここに給油口３５を開閉するキャップ３６が着脱自在に螺合される。保護カバー１は、キャップ３６を覆ったり露出させたりできるように、給油案内筒３３に装着される。
【０００９】
保護カバー１は、ベースリング２と、このベースリング２に枢着される蓋体３と、これらベースリング２との蓋体３とを施解錠する錠装置４とを具備する。
ベースリング２は、環状のリング本体５と、リング本体５の外周付近から起立する軸受け部６とを具備する。リング本体５は、給油案内筒３３のキャップ係合部３４よりも基端側の外周に嵌合し、キャップ３６の外径より小なる内径と大なる外径を有する。リング本体５の外周の軸受け部６に対向する位置には受け金７が設けられている。
【００１０】
蓋体３は、図５に示すように、起立して、キャップ３６を露出させる開放位置と、図４に示すように、倒伏して、ベースリング２との間にキャップ３６を挟み、これを被覆する閉鎖位置との間を回動可能である。蓋体３は、キャップ３６の外周を相対回転可能に包囲できる内径を有する筒状の側壁８と、この側壁８の一端側を閉じる端壁９とを有する。側壁８の外周の対向位置からそれぞれ半径方向外側へ突出するように、軸受け部１０と錠保持部１１が設けられる。軸受け部１０は、ベースリング２の軸受け部６との間に貫挿される枢ピン１２により、ベースリング２に枢支される。錠保持部１１は、ベースリング２の受け金７に対応する位置に設けられ、保持空間１３内に錠装置４を保持する。
【００１１】
錠装置４は、受け金７とシリンダ錠１４と止め金１５とを具備し、キーの操作により、蓋体３とベースリング２との間を施解錠する。シリンダ錠１４は、軸線を側壁８の軸線と平行に向けて保持空間１３内に回転不可能に保持され、キー操作により、ロック位置と非ロック位置へ内装のロータ１６を正逆回転させる。
【００１２】
止め金１５は、保持空間１３内において、側壁８の半径方向に、ロック位置と非ロック位置との間を進退自在に保持される。止め金１５の一端側は、ロック位置において側壁８の内側へ突出可能であり、他端側はロータ１６の端部の偏心した操作部に係合している。受け金７は、止め金１５の対向位置においてリング本体５の外周付近から起立している。蓋体３が閉鎖位置にあるとき、受け金７は側壁８の内側へ突出し、係合孔７ａが止め金１５の一端側と対向する。この状態で、止め金１５がロック位置に進むと係合孔７ａに係合し、蓋体３が閉鎖位置で施錠される。
【００１３】
保護カバー１は、キャップ３６を取り外した状態で、給油案内筒３３に装着される。蓋体３とベースリング２とを開いた状態で、ベースリングを給油案内筒３３に嵌め込むだけで保護カバー１の装着は完了する。保護カバー１を給油案内筒３３に装着した後は、蓋体３を開放位置においた状態で、キャップ３６の着脱を行う。キャップ３６を給油案内筒３３に装着した後、蓋体３を閉鎖位置において錠装置４により蓋体３とベースリング２との間をロックすると、キャップ３６は、蓋体３とベースリング２との間に挟まれた状態で被覆されるから、給油案内筒３３から取り外すことができなくなる。保護カバー１は、キャップ３６に対して相対回転するから、保護カバー１を回転させても、キャップ３６は開けない。蓋体３を開放位置においた状態で、ベースリング２が給油案内筒３３の基端側へ移動する可能性があるが、キャップ３６を装着した後、先端側へ引き上げれば、支障なく施錠することができる。
【００１４】
他の実施形態を図６，図７に示す。なお、同図中先の実施形態と同一の構成部分には同一の符号を付して説明を省略する。
この実施形態における保護カバー２１のベースリング２２は、リング本体５の内周付近から給油案内筒３３の基端方向へ延出する複数の締付け片１７を有する。
この締付け片１７は、ベースリング２２を給油案内筒３３に嵌合させた後、締付けバンド１８で締め付けて給油案内筒３３に固定することができる。
【００１５】
なお、上記実施形態の錠装置４においては、蓋体３側に錠保持部１１を設けてここにシリンダ錠１４及び止め金１５を配置すると共に、ベースリング２，２２側に受け金７を配置する構成にしたが、これに代えて、ベースリング２，２２側に錠保持部１１に相当する部分を設けてシリンダ錠１４及び止め金１５を配置すると共に、蓋体３側に受け金７を配置する構成としてもよい。
【符号の説明】
【００１６】
１    保護カバー
２    ベースリング
３    蓋体
４    錠装置
５    リング本体
６    軸受け部
７    受け金
８    側壁
９    端壁
１０    軸受け部
１１    錠保持部
１２    枢ピン
１３    錠保持空間
１４    シリンダ錠
１５    止め金
１６    ロータ
１７    締め付け片
１８    締め付けバンド
２１    保護カバー
２２    ベースリング
３１    燃料タンク
３２    タンク本体
３３    給油案内筒
３４    キャップ係合部
３５    給油口
３６    キャップ
【図１】
2011105160.tif 000003
【図２】
2011105160.tif 000004
【図３】
2011105160.tif 000005
【図４】
2011105160.tif 000006
【図５】
2011105160.tif 000007
【図６】
2011105160.tif 000008
【図７】
2011105160.tif 000009